(57)【要約】【課題】ラップフィルムなどのロール状包装材料を収納するカートンであって、収納したロール状包装材料が飛び出して落下することを確実に防止し、かつ、ラップフィルムなどのロール状包装材料の引き出しに支障がなく、簡単に形成することができる構造のロール状包装材料収納カートンを提供することにある。【解決手段】本発明のロール状包装材料収納カートンは、ラップフィルムなどが巻かれたロール状包装材料が収納されるカートン本体とその上方開口部の一側縁に起伏自在に連接された箱型の蓋体を有するロール状包装材料収納カートンにおいて、カートン本体の本体前板の上辺に折り返し補強板を連接し、折り返し補強板をカートン本体の内側に折り返し、本体前板の裏面に、両側部で貼り合わせ、貼り合せていない中央部を起こして、カートン本体の内側方向に突き出したロール押え部を形成してなることを特徴とするものである。【選択図】図４
2008247484.tif 000002
【特許請求の範囲】
【請求項１】
ラップフィルムなどが巻かれたロール状包装材料が収納されるカートン本体とその上方開口部の一側縁に起伏自在に連接された箱型の蓋体を有するロール状包装材料収納カートンにおいて、前記カートン本体の本体前板の上辺に折り返し補強板を連接し、前記折り返し補強板を前記カートン本体の内側に折り返し、前記本体前板の裏面に、前記折り返し補強板の両側部を貼り合わせ、前記折り返し補強板の貼り合わせていない中央部の一部を起こして、前記ロール押え部を形成してなることを特徴とするロール状包装材料収納カートン。
【請求項２】
前記折り返し補強板の前記中央部の前記ロール押え部の両側部に切れ目又はくさびを入れたことを特徴とする請求項１に記載のロール状包装材料収納カートン。
【発明の詳細な説明】
【技術分野】
【０００１】
本発明は、食品包装などに用いられるラップフィルムなどのロール状包装材料を収納するロール状包装材料収納カートンに関するものであり、詳しくは、収納したラップフィルムなどのロール状包装材料が飛び出して落下しないように改良したロール状包装材料収納カートンに関するものである。
【背景技術】
【０００２】
食品などを包むのに用いられるラップフィルムなどのロール状包装材料は、通常、紙筒にロール状に巻かれた状態で紙製のカートン内に収納されている。そして、カートンからラップフィルムなどの包装材料を所望の長さに引き出した後、カートンに付いた金属等の鋸刃部材により切断して使用するような形態となっている。ところで、従来のこの種のカートンではカートン本体に対して蓋体を被せるだけであるため、蓋体が開いて中のラップフィルムなどのロール状包装材料が飛び出して落下することがあった。そこで、このロール状包装材料の飛び出しを防止するため、カートン本体の側板に舌片を設けた形状などが多く知られている。（例えば、実公平７−１２２６７号公報参照）。
【発明の開示】
【発明が解決しようとする課題】
【０００３】
しかし、上記のカートン本体の側板に舌片などを設けた形状のロール状包装材料収納カートンは、外からの異物などが侵入する危険性があり衛生上の点で問題がある。この問題を解消するために、種々の形状が検討されており、例えば、前板に押え片などを連設し、ラップフィルムなどのロール状包装材料の飛び出しを防止しようとする形状も種々提案されている。しかし、この形状でも押え片の位置が安定しないなど、ロール状包装材料の飛び出しを防ぐ効果が不確実であり、また、ラップフィルムなどを引き出す時に、引き出しにくくなる危険性が生じるという問題があり、満足な形状のものとなっていないという状態である。
【０００４】
本発明は、上記のような問題点に鑑みなされたものであり、その目的とするところは、ラップフィルムなどのロール状包装材料状を収納するカートンであって、収納したロール状包装材料が飛び出して落下することを確実に防止し、かつ、ラップフィルムなどのロール状包装材料の引き出しに支障がなく、簡単に形成することができる構造のロール状包装材料収納カートンを提供することにある。
【課題を解決するための手段】
【０００５】
上記目的を達成するために、本発明のロール状包装材料収納カートンは、ラップフィルムなどが巻かれたロール状包装材料が収納されるカートン本体とその上方開口部の一側縁に起伏自在に連接された箱型の蓋体を有するロール状包装材料収納カートンにおいて、前記カートン本体の本体前板の上辺に折り返し補強板を連接し、前記折り返し補強板を前記カートン本体の内側に折り返し、本体前板の裏面に部分的に貼り合わせ、貼り合せていない部分を起こして、前記カートン本体の内側方向に突き出したロール押え部を形成してなることを特徴とするロール状包装材料収納カートンであり、前記本体前板の裏面に、前記折り返し補強板の両側部を貼り合わせ、前記折り返し補強板の中央部を起こして、前記ロール押え部を形成してなることを特徴とする。また、前記折り返し補強板の両側部を貼り合わせる場合には、前記折り返し補強板の前記中央部の前記ロール押え部の両側部に切れ目又はくさびを入れたことを特徴とするものである。
【０００６】
上記の構成からなる本発明のロール状包装材料収納カートンでは、ラップフィルムなどロール状包装材料状を収納するカートンであって、カートン本体の本体前板に連設した折り返し補強板を本体前板の裏面に部分的に貼り合わせ、貼り合せていない部分を起こして、カートン本体の内側方向に突き出したロール押え部とすることによって、収納したロール状包装材料が飛び出して落下することを確実に防止し、かつ、ラップフィルムなどのロール状包装材料の引き出しに支障がなく、簡単に形成することができる構造のカートンである。
【発明の効果】
【０００７】
以上説明したように、上記の構成からなる本発明のロール状包装材料収納カートンでは、ラップフィルムなどのロール状包装材料を収納するカートンであって、カートン本体の本体前板に連設した折り返し補強板の一部分で本体前板の裏面に貼り合わせ、貼り合せていない部分を起こしてカートン本体の内側方向に突き出した形状のロール押え部とすることによって、収納したロール状包装材料が飛び出して落下することを確実に防止し、かつ、ラップフィルムなどのロール状包装材料の引き出しに支障がない形状に簡単に形成することができるという効果を奏するものである。
【発明を実施するための最良の形態】
【０００８】
つぎに、本発明のロール状包装材料収納カートンの実施の形態を実施例をあげて説明する。図１は本発明に係るロール状包装材料収納カートンの参考例を示す斜視図であり、図２は本発明のロール状包装材料収納カートンを形成するブランクを示す展開図であり、図３は参考例のロール状包装材料収納カートンの折り返し補強板を本体前板の裏面に貼り合わす方法を示す斜視図であり、図４は本発明のロール状包装材料収納カートンの折り返し補強板を本体前板の裏面に貼り合わす方法を示す斜視図であり、そして、図５は本発明のロール状包装材料収納カートンのロールを収納した状態を示す断面図である。
【０００９】
図１は、本発明のロール状包装材料収納カートンの参考例を示す斜視図であり、ロール状包装材料収納カートン１は、ラップフィルムＦを紙管に巻回したロール状包装材料Ｒを収納するカートン本体１０と蓋体２０とから構成されている。通常のロール状包装材料収納カートンと異なり、カートン本体１０の本体前板１１の上辺から裏側に折り返された折り返し補強板１７の一部を本体前板１１の裏面に貼り合わされ、貼り合わされていない他の部分が起こして、カートン本体１０の内側に突き出したロール押え部Ｐとし、カートン本体１０内に収納したロール状包装材料Ｒの飛び出しを防ぐ機能を持たせていることが特長である。一般家庭や店舗その他において使用する時に、このロール状包装材料収納カートン１からラップフィルムＦの必要な長さを引き出し、主に魚介、蔬菜、果実類等の食品の包装用に使用されている。
【００１０】
図２は、本発明はロール状包装材料収納カートン１のブランクを示す展開図である。ブランク１Ａは、ロール状包装材料Ｒを収納するカートン本体１０の部分とカートン本体１０の開口部を覆う蓋体２０の部分から構成されている。カートン本体１０の部分では本体前板１１、本体底板１２、本体後板１３が順次折れ線ａ、ｂを介して連接され、本体前板１１の両側辺には、本体折り込み片１４、１４がそれぞれ折れ線ｃ、ｃを介して連接され、本体底板１２の両側辺には、本体側板１５、１５がそれぞれ折れ線ｄ、ｄを介して連接され、そして、本体後板１３の両側辺には、本体折り込み辺１６、１６がそれぞれ折れ線ｅ、ｅを介して連接されている。
【００１１】
また、本体前板１１の上辺には、折り返し補強板１７が折れ線ｆを介して連接されている。この折り返し補強板１７は、本体前板１１の上辺から内側に折り返され、本体前板１１の裏面に部分的に貼り合わされる。すなわち、一部分で貼り合わされ、貼り合わされていない残りの部分を起こして、カートン本体１０の内側に突き出した形状のロール押え部Ｐとする。
【００１２】
この折り返し補強板１７を本体前板１１の裏面に貼り合せる方法は、貼り合せる部分により二つの方法に分けられ、一つには、図３−ａに示すように、折り返し補強板１７の中央部（網点部分）を貼り合せる方法、もう一つには、図４−ａに示すように、両側部（網点部分）を貼り合せる方法とがある。従って、前者の場合は、図３−ｂに示すように、両側部を起こしてカートン本体１０の内側に突き出したロール押え部Ｐとし、後者の場合は、図４−ｂに示すように、中央部を起こして突き出したロール押え部Ｐとする。
【００１３】
また、前者の場合には、図３−ｃに示すように、起こす部分である両側部に斜めに折れ線ｇを設けることにより、起こしやすくすることもできる。
【００１４】
また、後者の場合には、中央部を起こしやすくするために、起こす部分の両端に、図４−ｃに示すように、折り返し補強板１７の幅の略半分の幅の切れ目Ｔ、くさびＵなどを入れた形状とすることが好ましい。さらに、図４−ｄに示すように、中央部の辺を膨らんだ円弧状とすることもできる。この円弧状とすることによって、ラップフィルムＦの引き出しにくくなること、傷などを付けることを防ぐことができる。
【００１５】
いずれにしても、起こす部分の角部は、引き出す時に、ラップフィルムＦに傷を付けないように角丸とする必要がある。
【００１６】
一方、蓋体２０の部分では、蓋体蓋板２１が本体後板１３の下辺に折れ線ｉを介して連接され、そして、この蓋体蓋板２１の下辺には、蓋体前板２２が折れ線ｊを介して連接されている。また、蓋体蓋板２１の両側辺には、蓋体側板２３，２３がそれぞれ折れ線ｋ、ｋを介して連接され、蓋体前板２２の両側辺には、蓋体折り込み片２４、２４がそれぞれ折れ線ｌ、ｌを介して連接されている。また、蓋体前板２２には使用時に切り離してカッターＣを露出させるための切り取り部２２ａが破断線Ｄで区画され、その切り取り部２２ａが貼り合せられる本体前板１１の部分には、表面からの半切れで形成した複数の接着領域Ｈが形成されている。この接着領域Ｈで、本体前板１１に蓋体前板２２の切り取り部２２ａが貼り合わされる。
【００１７】
つぎに、上記の構成からなる板紙製のブランク１Ａを組み立てて本発明のロール状包装材料収納カートン１を形成する工程を説明する。すなわち、一般的なロール状包装材料収納カートンと同様の工程で、ブランク１Ａの必要な箇所に糊付けしつつ折れ線に従って折り曲げて折り畳まれたロール状包装材料収納カートン１を作製し、その後、自動充填包装ラインでロール状包装材料収納カートン１の中にロール状に巻かれたラップフィルムＦのロール状包装材料Ｒを収納する。
【００１８】
まず、折り返し補強板１７を折れ線ｆで内側に折り返し、本体前板１１の裏面に貼り合わせる。その時、本実施例の場合は、両側部で貼り合せる。つぎに、本体前板１１を折れ線ａで内側に折り曲げ、ついで、蓋体蓋板２１を折れ線ｉで折り曲げて蓋体前板２２を本体前板１１の上に重ね、蓋体前板２２の切り取り部２２ａと本体前板１１に貼り合せて、折り畳まれたロール状包装材料収納カートン１作製する。このように折り畳まれた状態において、内容物のロール状包装材料Ｒを充填する前の保管、輸送などを行う。
【００１９】
つぎに、自動充填包装ラインでロール状包装材料収納カートン１に内容物のラップフィルムＦなどが巻かれたロール状包装材料Ｒを収納する。折り畳まれた状態のロール状包装材料収納カートン１を起こして四角柱形状とし、一方の側面の開口部からロール状包装材料Ｒを挿入する。ロール状包装材料Ｒを挿入した後、本体折り込み片１４、１６を折り曲げ、そして、その上に本体側板１５を折り曲げて本体折り込み片１４、１６と側板１５を貼り合わせる。ついで、蓋体折り込み片２４を折り曲げ、その上に、蓋体側板２３を折り曲げて貼り合わせることによって、一方の側面が形成される。同様にして、もう一方の側面を形成してロール状包装材料収納カートン１が完成される。
【００２０】
実際に、本発明のロール状包装材料収納カートン１を使用するには、蓋体前板２２の切り取り部２２ａを本体前板１１から剥がしながら破断線Ｄに沿って切り取って除去した後、図１に示すように蓋体２０を開け、本体前板１１の裏面に両側部が貼り合わされた折り返し補強板１７の中央部の貼り合わされていない部分を起こして、図５に示すように、カートン本体１０の内側方向に突き出した形状のロール押え部Ｐとする。その状態にした後に、ラップフィルムＦの端縁を摘んで所望の長さだけ引き出してからカッターＣで切断する。この時、ロール押え部Ｐが本体前板１１から内側に突き出した形状となり、ロール状包装材料Ｒの飛び出しを防止することができる。
【００２１】
本発明のロール状包装材料収納カートンに収納するロール状包装材料Ｒは、主にラップフィルムＦであり、例えば、塩化ビニリデン系、塩化ビニール系、ポリエチレン系などの合成樹脂フィルムである。また、ラップフィルムＦ以外にも、アルミホイル、ワックスペーパー、その他家庭または店舗等でのロール状包装材料についても利用可能なものである。
【００２２】
さらに、上記の具体例ではロール状包装材料収納カートンについて説明したが、本発明はカートン本体と蓋体とが一体構成されるロール状包装材料収納カートン一般について適用可能であり、また、実施例で示したような直線状のカッターを備えたカートンのみならず、中央部がＶ字状に突出したいわゆるＶ字形状のカッターが取り付けられたカートンにも適用できることは言うまでもない。
【図面の簡単な説明】
【００２３】
【図１】本発明のロール状包装材料収納カートンの参考例を示す斜視図である。
【図２】本発明のロール状包装材料収納カートンを形成するブランクの展開図である。
【図３】参考例のロール状包装材料収納カートンの折り返し補強板を本体前板の裏面に貼り合わす方法を示す斜視図である。
【図４】本発明のロール状包装材料収納カートンの折り返し補強板を本体前板の裏面に貼り合わせる方法を示す斜視図である。
【図５】本発明のロール状包装材料収納カートンのロール状包装材料を収納した状態を示す断面図である。
【符号の説明】
【００２４】
１    ロール状包装材料収納カートン
１Ａ  ブランク
１０    カートン本体
１１    本体前板
１２    本体底板
１３    本体後板
１４    本体折り込み片
１５    本体側板
１６    本体折り込み片
１７    折り返し補強板
２０    蓋体
２１    蓋体蓋板
２２    蓋体前板
２２ａ  切り取り部
２３    蓋体側板
２４    蓋体折り込み片
Ｃ    カッター
Ｄ    切断線
Ｆ    ラップフィルム
Ｈ    接着領域
Ｐ    ロール押え部
Ｒ    ロール状包装材料
Ｔ    切れ目
Ｕ    くさび
ａ〜ｌ  折れ線
【図１】
2008247484.tif 000003
【図２】
2008247484.tif 000004
【図３】
2008247484.tif 000005
【図４】
2008247484.tif 000006
【図５】
2008247484.tif 000007